(57)【特許請求の範囲】
【請求項１】
間仕切のコーナー部を挟んで立設された対をなす支柱に両端部を固定され前記コーナー部に向かって膨出する平面視概略湾曲形状をなす曲面筆記用パネルと、
この曲面筆記用パネルの端部に前記支柱の前面側で連続するように当該支柱に組み付けられる平面筆記用パネルとを具備することを特徴とする筆記用表示板。
【請求項２】
前記曲面筆記用パネルが、平面視湾曲形状をなす曲面部とこの曲面部の両側に連続して配され前記支柱に取り付けられる平面視直線形状をなす平面部とを有している請求項１記載の筆記用表示板。
【請求項３】
前記曲面筆記用パネルの下に平面視概略湾曲形状をなす湾曲部を有する粉受けを有するものであり、
前記曲面筆記用パネルが、前記粉受けに下方から支持されている請求項１又は２記載の筆記用表示板。
【請求項４】
前記曲面筆記用パネルの裏面側に接着される当該曲面筆記用パネルの幅方向全域に亘って延びる前記曲面筆記用パネルを補強するための湾曲材を上下方向に複数有している請求項１、２又は３記載の筆記用表示板。
【請求項５】
前記曲面筆記用パネルを後方から押圧する押圧材を有している請求項１、２、３又は４記載の筆記用表示板。
【請求項６】
前記曲面筆記用パネル及び前記平面筆記用パネルが、前記支柱に設けられた化粧パネル取付用のフック孔を利用して組み付けられる請求項１、２、３、４又は５記載の筆記用表示板。
【請求項７】
請求項１乃至６の何れかに記載の筆記用表示板を配している間仕切システムであって、
前記間仕切が、前記筆記用表示板の上下にそれぞれガラス板又は化粧パネルを配していることを特徴とする間仕切システム。
【発明の詳細な説明】
【技術分野】
【０００１】
本発明は、オフィスの間仕切に好適に適用され得る筆記用表示板及び当該筆記用表示板を配した間仕切システムに関するものである。
【背景技術】
【０００２】
オフィスにおけるミーティングの際には通常、ミーティングの参加者の意見をより有効に引き出すべく、自由に筆記し得る筆記用表示板をミーティングの参加者が取り囲んだ形で行われることが多い。このようなミーティングに供し得るものとして、オフィス空間を間仕切るための間仕切に筆記用表示板を配したものも提案されている（例えば、特許文献１参照）。
【０００３】
そのなかでも有効な手段として、オフィスのコーナー部分を構成するパーティションに平面視湾曲形状の筆記用表示板を組み付ける試みがなされている。当該試みによって、オフィスのデットスペースともなりやすいコーナー部分を、観覧し易い筆記用表示板を配した有効なミーティングスペースに仕立てることを可能とした。
【０００４】
しかしながら、このようなオフィスのコーナー部分をそのまま利用し得る筆記用表示板を設置するという作業は、そのままオフィスの仕様を変更すべく一部を改築するに相当する手間を要するか、或いは建物の新築時に、そのオフィスの態様毎に具体的仕様を決定しなければならない。すなわち、筆記用表示板を利用した有効なミーティングスペースをオフィスのコーナー部分に構築することは業務の遂行のために非常に有用であるとは認識されながら、上記理由によりオフィスのユーザーにとって容易には導入に至り難い要件が存在しているというのが現状である。
【先行技術文献】
【特許文献】
【０００５】
【特許文献１】特許第４４７５１４０号公報
【発明の概要】
【発明が解決しようとする課題】
【０００６】
本発明は、このような不具合に着目したものであり、有効なミーティングスペースをオフィスに容易に導入し得る筆記用表示板を提供することを目的としている。
【課題を解決するための手段】
【０００７】
本発明は、このような目的を達成するために、次のような手段を講じたものである。
【０００８】
すなわち本発明に係る筆記用表示板は、間仕切のコーナー部を挟んで立設された対をなす支柱に両端部を固定され前記コーナー部に向かって膨出する平面視概略湾曲形状をなす曲面筆記用パネルと、この曲面筆記用パネルの端部に前記支柱の前面側で連続するように当該支柱に組み付けられる平面筆記用パネルとを具備することを特徴とする。
【０００９】
このようなものであれば、既設或いは設置予定である間仕切の構成をそのまま利用しつつ、当該間仕切によって形成されたコーナー部付近の空間を、好適なミーティングスペースに仕立てることができる。すなわち本発明によれば、有効なミーティングスペースをオフィスに容易に導入し得る筆記用表示板を提供することができる。
【００１０】
また、筆記用表示板の全ての領域を通してスムーズに筆記し得る構成を実現するためには、曲面筆記用パネルを、平面視湾曲形状をなす曲面部とこの曲面部の両側に連続して配され支柱に取り付けられる平面視直線形状をなす平面部とを設けたものとすることが望ましい。
【００１１】
また、曲面筆記用パネルを強固に支持するための具体的な構成として、曲面筆記用パネルの下に平面視概略湾曲形状をなす湾曲部を有する粉受けを設け、曲面筆記用パネルを、粉受けに下方から支持する構成を挙げることができる。
【００１２】
さらに、曲面筆記用パネルへの筆記を安定して行い易くするための構成として、曲面筆記用パネルの裏面側に接着される当該曲面筆記用パネルの幅方向全域に亘って延びる曲面筆記用パネルを補強するための湾曲材を上下方向に複数設けている構成を挙げることができる。
【００１３】
加えて曲面筆記用パネルの筆記時の不要な撓みをさらに抑制し得る構成として、この曲面筆記用パネルを後方から押圧する押圧材を設けるようにしたものが挙げられる。ここで斯かる押圧材は、曲面筆記用パネルを直接押圧するものであっても、曲面筆記用パネルに取り付けた構成要素を押圧するといった間接的に押圧するものであっても良い。
【００１４】
間仕切に対して容易に組み付け得るようにするためには、曲面筆記用パネル及び平面筆記用パネルを、支柱に設けられた化粧パネル取付用のフック孔を利用して組み付けられるようにすることが望ましい。
【００１５】
そして上述した筆記用表示板を配してオフィスに有効なミーティングスペースを構築し得る本発明に係る間仕切システムは、間仕切が、筆記用表示板の上下にそれぞれガラス板又は化粧パネルを配していることを特徴とするものである。
【発明の効果】
【００１６】
本発明によれば、有効なミーティングスペースをオフィスに容易に導入し得る筆記用表示板を提供することができる。
【図面の簡単な説明】
【００１７】
【図１】本発明の一実施形態に係る外観図。
【図２】図１に係るＡ−Ａ線断面図。
【図３】同Ｂ−Ｂ線断面図。
【図４】同Ｃ−Ｃ線断面図。
【図５】同実施形態に係る分解斜視図。
【図６】同実施形態に係る他の分解斜視図。
【図７】同実施形態に係る構成説明図。
【図８】同実施形態に係る他の構成説明図。
【図９】同上。
【図１０】同実施形態の変形例に係る外観図。
【発明を実施するための形態】
【００１８】
以下、本発明の一実施の形態について図１〜図１０を参照して説明する。
【００１９】
本実施形態に係る間仕切システムは、例えばオフィスの建築時や改装時に施工主の要望に応じて適用されるものである。この間仕切システムは、コーナー部６Ｃを有してなる間仕切６の一部に、所謂ホワイトボードと称される構成をなす本実施形態に係る筆記用表示板１を適用したものである。本実施形態では間仕切６として、天井面８から床面７に亘って配されている、所謂パーティションと称される態様の間仕切６を適用している。そしてこの間仕切６に配された筆記用表示板１の上下には、それぞれ図１に示すように周知の化粧パネル６４を配することも、図１０に変形例として示すように、間仕切６の向こう側の空間を視認し得るようにすべくガラス枠６５ｂ内に板ガラス６５ａが固定されたガラス板６５を配することも、間仕切６の仕様を適宜選択することにより可能である。図１〜図９に示す本実施形態では、筆記用表示板１以外には主に化粧パネル６４を配している態様について説明する。そして同図に示すように本実施形態では上下の化粧パネル６４間に筆記用表示板１を配することにより、床面７からの高さが約１ｍ〜２ｍの範囲の高さ領域に当該筆記用表示板１を位置付けている。
【００２０】
間仕切６は、図２に示すように、化粧パネル６４が平面視直角に配されるようにコーナー部６Ｃを有しているものであり、床面７から天井面８に亘って立設される支柱６１と、支柱６１間に配される横架要素６２と、支柱６１に化粧パネル６４を取り付けるためのフック６３と、支柱６１の正面側及び背面側にフック６３を介して配される化粧パネル６４とを主な構成要素としている。
【００２１】
支柱６１は、図２、図３及び図４に示すように、床面７に配された巾木７１及び天井面８に配された天井レール８１間に上端部６１ｃ及び下端部６１ｄによって取り付けることにより立設されたものであり、正面及び背面側を化粧パネル６４をフック６３を介して装着し得るフック孔６１ｆを設けたパネル取付面６１ａとし、両側面を、当該支柱６１間を横架した状態で固定する横架要素６２を固定するための横架要素取付面６１ｂとしている。
【００２２】
また本実施形態では、上述の通りこれら複数の支柱６１をそれぞれ平面視で９０°異ならせて配置することにより、コーナー部６Ｃを形成している。このコーナー部６Ｃは、一面を支柱６１に対して固定し得るコーナー支柱６１Ｃと、支柱６１における一方の横架要素取付面６１ｂに固定され被覆するためのコーナーカバー６０Ｃとを有している。コーナー支柱６１Ｃは、横架要素取付面６１ｂを一面側にのみ有するとともに、他面側において隣接する支柱６１のパネル取付面６１ａに固定されてなる。
【００２３】
横架要素６２は、本実施形態では化粧パネル６４を取り付ける箇所に設けるための横桟６２３に加え、後述する曲面筆記用パネル２を取り付ける箇所に用いる補強板６２１と、後述する平面筆記用パネル４と取り付ける箇所に用いる補強横桟６２２とを有している。補強板６２１は、支柱６１間において筆記用表示板１を配する領域よりも、上下に大きく設定されてなる。この補強板６２１は、矩形板状の表面材と、この表面材の内部を中実に構成するための内容材とを有するものであり、本実施形態では後述する曲面用粉受け３を直接固定するための粉受け固定穴６２１ａと、当該曲面用粉受け３を固定するための下固定穴６２１ｃと、曲面筆記用パネル２を固定するための上固定穴６２１ｂとを有している。補強横桟６２２は、平面筆記用パネル４の下端部分及び平面用粉受け５に亘る上下領域に配されたものであり、平面用粉受け５を固定するための粉受け固定穴６２１ａを有している。
【００２４】
フック６３は、支柱６１のパネル取付面６１ａに及び化粧パネル６４等を取り付けるために設けられた板金材を適宜の形状に打ち抜くことにより形成されたものである。このフック６３は、図７及び図９に特に示すように、支柱６１のフック孔６１ｆに掛けられるための支柱側引掛部６３ａと、化粧パネル６４等を掛けるためのパネル側引掛部６３ｂとを有している。
【００２５】
化粧パネル６４は、図１〜図４に特に示すように、支柱６１のパネル取付面６１ａにフック６３を介して取り付けられるパネル本体６４ａと、このパネル本体６４ａに内装される石膏ボードとを有している通常のものである。当該化粧パネル６４はパネル本体６４ａの色彩や表面の材質を適宜選択、変更することにより、使用者にとって所望の外観をなす間仕切６を構成し得る。当該化粧パネル６４の具体的な構成については既存の種々の構成を適用し得るため、本実施形態では詳細な説明及び図示を省略する。
【００２６】
ここで、本実施形態に係る筆記用表示板１は、間仕切６のコーナー部６Ｃを挟んで立設された対をなす支柱６１に両端部を固定されコーナー部６Ｃに向かって膨出する平面視概略湾曲形状をなす曲面筆記用パネル２と、この曲面筆記用パネル２の端部に支柱６１の前面側で連続するように当該支柱６１に組み付けられる平面筆記用パネル４とを具備することを特徴とする。
【００２７】
以下、本実施形態に係る筆記用表示板１の各部の構成について説明する。この筆記用表示板１は、上述した曲面筆記用パネル２及び平面筆記用パネル４に加え、曲面筆記用パネル２に下方から接する曲面用粉受け３及び平面筆記用パネル４に下方から接する平面用粉受け５とを有している。
【００２８】
平面筆記用パネル４は、図１〜図３に示すように、支柱６１に設けられた化粧パネル６４取付用のフック孔６１ｆを利用して組み付けられる。この平面用パネル本体４０は、化粧パネル６４を構成するパネル本体６４ａと略同じ形状をなし、表面にホワイトボードを構成し得る筆記用のシートを配した平面用パネル本体４０と、この平面用パネル本体４０の上端に取り付けられる断面視Ｌ字状をなす直線エッジ部材４５とを有している。平面用パネル本体４０は、直線エッジ部材４５をねじ止めするための上ねじ穴４０ａを上端両側に備えている。直線エッジ部材４５についても、両端に上記上ねじ穴４０ａに連通し得る上固定穴４５ａを有している。また本実施形態ではこの平面用パネル本体４０を構成する筆記用のシートの上端は直線エッジ部材４５により隠蔽される。そして当該筆記用のシートの下端は、この平面筆記用パネル４が上方から平面用粉受け５に接することによって外方から隠蔽される。
【００２９】
平面用粉受け５は、図１〜図３に示すように、例えば矩形状の板金材をチャネル状に折り曲げ形成されたものであり、平面筆記用パネル４に下方から接する上面部５１と、この上面部５１の後端から垂下する立面部５２と、この立面部５２の下端から約８７°の角度をなして前方、詳細には上方に傾斜しながら前方に突出する下面部５３とを有している。この平面用粉受け５は、上述した横架要素６２である補強横桟６２２に設けられた粉受け固定穴６２２ａを用いてねじ止めされるべく、立面部５２の両端にそれぞれ端固定穴５２ｂが設けられている。
【００３０】
しかして本実施形態に係る筆記用表示板１は、上記の平面筆記用パネル４の縁部に連続して配される曲面筆記用パネル２と、平面用粉受け５の縁部に連続して配される曲面用粉受け３とを有している。
【００３１】
曲面筆記用パネル２は、図１、図２、図４〜図９に示すように、支柱６１のフック孔６１ｆを利用し直接取り付けられるとともに筆記面を構成する曲面用パネル本体２０と、この曲面用パネル本体２０の裏面側から接着し補強するための湾曲補強材２３と、この湾曲補強材２３を前方へ押圧するための押圧材２４と、曲面用パネル本体２０の上端をカバーするためのエッジ部材２５とを有している。
【００３２】
曲面用パネル本体２０は、図５〜図８に特に示すように、平面視湾曲形状をなす曲面部２１とこの曲面部２１の両側に連続して配され支柱６１に取り付けられる平面視直線形状をなす平面部２２とを有している。そして本実施形態では、この平面部２２において後方に延出して素材を折り返して形成される折り返し部２６と、折り返し部２６の端縁を切り欠く事によって両面粘着テープ２７の両端を裏面側から露出させ湾曲補強材２３の止着を行い易くするための補強材挿通部２９と、折り返し部２６の一部を切り欠くことによって設けられたフック６３に掛け止められるためのフック穴２８とを設けている。また曲面部２１及び平面部２２に亘る裏面側において湾曲補強材２３に接する位置に設けられた両面粘着テープ２７を配している。さらに曲面部２１の平面視中央且つ上端近傍の位置には、湾曲補強材２３をねじ止めするための前固定穴２１ａを設けている。なおフック穴２８の具体的な形状は、化粧パネル６４に設けられているものと同じく既存の種々の形状に設定し得る。
【００３３】
湾曲補強材２３は、図５、図７及び図８に特に示すように、曲面筆記用パネル２の裏面側に接着される当該曲面筆記用パネル２の幅方向全域に亘って延びる曲面筆記用パネル２を補強するためのものである。この湾曲材たる湾曲補強材２３は、例えば断面視矩形状の金属パイプ材を主体とするものであり、上下方向にそれぞれ複数配された上端補強材２３ａ、中間補強材２３ｂ及び下端補強材２３ｃを有したものである。当該湾曲補強材２３は、下端補強材２３ｃの下面側において曲面用粉受け３に密着することにより曲面筆記用パネル２全体の荷重が曲面用粉受け３に掛かるように配される。また上端補強材２３ａには、上面側においてエッジ部材２５を固定するための上固定穴２３ｄを両端にそれぞれ２箇所、中間位置において２箇所の計６箇所に有するとともに、前面における中央部分には、曲面部２１の上端をねじ止めするための前ねじ穴２３ｅを有している。
【００３４】
押圧材２４は、図５、図７及び図８に特に示すように、湾曲補強材２３のうち上端補強材２３ａを後方から押圧するためのものである。この押圧材２４は、隣接する支柱６１間に配された補強板６２１の上固定穴６２１ｂに両端部分で固定される取付部２４ａと、中間部分で湾曲材たる上端湾曲材２３ａを押圧する押圧部２４ｂとを有している。
【００３５】
エッジ部材２５は、図５及び図７に特に示すように、断面視Ｌ字状に形成された例えばアルミの押し出し材を主体としたものであり、曲面用パネル本体２０の上端及び上端補強材２３ａの上面に固定されるものである。すなわち、斯かるエッジ部材２５についても上端補強材２３ａ同様、両端に２箇所ずつ、中間位置にも２箇所において、上記上固定穴２３ｄに連通し得る上固定穴２５ａを有している。また本実施形態では曲面用パネル本体２０を構成する筆記用のシートの上端は前ねじ穴２１ａも含めエッジ部材２５により隠蔽される。
【００３６】
曲面用粉受け３は、曲面筆記用パネル２の下に配されたものである。当該曲面用粉受け３は、曲面部２１に平面視重複し得る概略湾曲形状をなす湾曲部３０ａ及びこの湾曲部３０ａの両端に連続する直線部３０ｂを有した粉受け本体３０と、この粉受け本体３０を裏面側から固定する粉受け固定材３５とを有している。
【００３７】
粉受け本体３０は、図３及び図４に示すように、上記平面用粉受け５の断面形状と略同一の断面形状をなすことによって当該平面用粉受け５に対し滑らかに連続し得る形状を実現している。
【００３８】
そして粉受け本体３０は、図６、図８及び図９に特に示すように、水平方向に延び曲面筆記用パネル２の下端に接するパネル支持面３１ａを有する上面板３１と、この上面板３１から垂下し、中央部分においねねじ止めされるための中央固定穴３２ａ及び両端部分にある直線部３０ｂに相当する箇所においてねじ止めされるための端固定穴３２ｂを有する立面板３２と、立面板３２の下端から前方に延出する下面板３３とを断面視チャネル状に配したものであり、これら溶接によって接合されたそれぞれ別体である上面板３１、立面板３２及び下面板３３に囲まれるように介在させたリブ板３４をさらに溶接により固設している。具体的に説明すると、上面板３１及び下面板３３にはこのリブ板３４の一部を挿入し得る切欠３１ｂ、３３ｂを設けるとともに、リブ板３４にはこれら切欠３１ｂ、３３ｂに挿入し得る差込片３４ｂを設けている。そして本実施形態では、このリブ板３４の下端部を前方に約３°程度傾斜する直線状に形成している。これにより、立面板３２と下面板３３とがなす断面視の接続角度が８７°程度となっている。換言すれば下端部に溶接される下面板３３には水平よりも３°程度上方へ向けて面する傾斜面３３ａが形成される。
【００３９】
粉受け固定材３５は、図２及び図６に示すように、粉受け本体３０の立面板３２を後方から押圧し且つ固定するためのものである。この粉受け固定材３５は、補強板６２１の下固定穴６２１ｃに両端部分で固定される取付部３５ａと、中間部分で立面板３２をねじ止めするねじ止め部３５ｂとを有している。
【００４０】
しかして本実施形態では図２に示すように、曲面用パネル本体２０は平面部２２で支柱６１に取り付けられているために、曲面用パネル本体２０と平面用パネル本体４０とは、共通の支柱６１のパネル取付面６１ａ上で、連続部分が目立たないまでに滑らかに連続し得るようになっている。しかも本実施形態では図２及び図９に示すように、曲面用粉受け３についても曲面用パネル本体２０に対し平面視重複し得る湾曲部３０ａ及び直線部３０ｂを設け、この直線部３０ｂに設けた端固定穴３２ｂを補強板６２１の粉受け取付穴６２１ａに固定しているので、これら平面用粉受け５及び曲面用粉受け３も連続部分が目立たないまでに滑らかに連続し得るようになっている。
【００４１】
このように本実施形態では、図２及び図９に示すように、コーナー部６Ｃを構成する間仕切６に対し、コーナー部６Ｃに取り付けるはずであった図２に破線で示した化粧パネル６４の代わりに、容易に曲面筆記用パネル２及び曲面用粉受け３を配することが可能となっている。詳細には、支柱６１間に配される横架要素６２として、横桟６２３の代わりに補強板６２１を用いることで曲面筆記用パネル２及び曲面用粉受け３を容易に組み付けることを可能としている。また横桟６２３の代わりに補強横桟６２２を用いることで平面用粉受け５を容易に組み付けることを可能としている。
【００４２】
以上のような構成とすることにより、本実施形態では、既設或いは設置予定である間仕切６の構成をそのまま利用しつつ、当該間仕切６によって形成されたコーナー部６Ｃ付近の空間を、好適なミーティングスペースに仕立てることができる。すなわち本実施形態によれば、間仕切６に設けられるコーナー部６Ｃに簡易且つ迅速に施工し得る構成を加えることで、当該コーナー部６Ｃを有効なミーティングスペースに仕立て上げている。換言すれば、本実施形態ではオフィスに容易に導入し得る筆記用表示板１、及び当該筆記用表示板１を具備する間仕切システムを実現している。
【００４３】
また、曲面筆記用パネル２及び平面筆記用パネル４を問わず、筆記用表示板１の全ての筆記用の領域を通してスムーズに筆記し得る構成を実現するために本実施形態では、曲面筆記用パネル２を、平面視湾曲形状をなす曲面部２１とこの曲面部２１の両側に連続して配され支柱６１に取り付けられる平面視直線形状をなす平面部２２とを設けている。
【００４４】
そして曲面筆記用パネル２を強固に支持するための構成として本実施形態では、曲面筆記用パネル２の下に平面視概略湾曲形状をなす湾曲部３０ａを有する粉受けである曲面用粉受け３を設け、曲面筆記用パネル２を、曲面用粉受け３に下方から支持する構成を適用している。特に本実施形態では、曲面用粉受け３では、湾曲部３０ａ及び直線部３０ｂを有する粉受け本体３０を、曲面用パネル本体２０に対し平面視重複し得るようにすることで、筆記用表示板１全体としての統一感を出すとともに、曲面用パネル本体２０を下方から安定して支持し得るものとしている。
【００４５】
さらに、曲面筆記用パネル２への筆記を安定して行い易くするための構成として本実施形態では、曲面筆記用パネル２の裏面側に接着される当該曲面筆記用パネル２の幅方向全域に亘って延びる曲面筆記用パネル２を補強するための湾曲材たる湾曲補強材２３を上下方向に複数設けている。
【００４６】
加えて曲面筆記用パネル２の筆記時の不要な撓みをさらに抑制し得る構成として本実施形態では、湾曲補強材２３の少なくとも一を曲面筆記用パネル２の上端部に接着するものとし、この湾曲補強材２３を後方から押圧することによって曲面筆記用パネル２を間接的に押圧している押圧材２４を設けている。すなわち本実施形態では、支柱６１間に配される横架要素６２として、横桟６２３の代わりに補強板６２１を用いることで押圧材２４を容易に組み付けることを可能としている。
【００４７】
間仕切６に対して容易に組み付け得るようにするために本実施形態では、曲面筆記用パネル２及び平面筆記用パネル４を、支柱６１に設けられた化粧パネル６４取付用のフック孔６１ｆを利用して組み付ける構成を適用している。
【００４８】
以上、本発明の実施形態について説明したが、各部の具体的な構成は、上述した実施形態のみに限定されるものではなく、本発明の趣旨を逸脱しない範囲で種々変形が可能である。
【００４９】
例えば、上記実施形態では間仕切として床面から天井面に亘って空間を仕切るためのパーティションに本発明を適用した態様を開示したが、勿論、上端が天井面に至っていない、所謂ローパーティションに適用したものであってもよい。また上記実施形態では筆記用表示板として、いわゆるホワイトボードを構成する態様を開示したが勿論、チョークにより筆記するための黒板等、他の態様をなす筆記用表示板としても良い。そして上記実施形態では押圧材は湾曲材を介して間接的に曲面筆記用パネルを押圧する態様を適用したが勿論、押圧材が直接曲面筆記用パネルを後方から押圧する態様としてもよい。また粉受けや間仕切の具体的な態様は上記実施形態のものに限定されることはなく、既存のものを含め、種々の態様のものを適用することができる。
【００５０】
その他、各部の具体的構成についても上記実施形態に限られるものではなく、本発明の趣旨を逸脱しない範囲で種々変形が可能である。
【産業上の利用可能性】
【００５１】
本発明はオフィスに好適に適用され得る筆記用表示板として利用することができる。
【符号の説明】
【００５２】
１…筆記用表示板
２…曲面筆記用パネル
２１…曲面部
２２…平面部
２３…湾曲材（湾曲補強材）
２４…押圧材
３…粉受け（曲面用粉受け）
４…平面筆記用パネル
６…間仕切
６Ｃ…コーナー部
６１…支柱
６１ｆ…フック孔
６４…化粧パネル
６５…ガラス板
【図１】
0006428187.tif 000002
【図２】
0006428187.tif 000003
【図３】
0006428187.tif 000004
【図４】
0006428187.tif 000005
【図５】
0006428187.tif 000006
【図６】
0006428187.tif 000007
【図７】
0006428187.tif 000008
【図８】
0006428187.tif 000009
【図９】
0006428187.tif 000010
【図１０】
0006428187.tif 000011